(57)【特許請求の範囲】
【請求項１】
底部に立設される側部を有し上開放の開口を有した樹脂製の容器本体と、該容器本体の開口を塞ぐ樹脂製の蓋と、上記容器本体に収容される樹脂製の複数の内容器とを備えた食品用容器において、
上記内容器を、上記容器本体の中心部に上から見て空所を形成するように連続して該容器本体の底部に載置され上開放の第一開放口を有した複数の第一内容器と、該複数の第一内容器によって形成される空所に配置され上開放の第二開放口を有した第二内容器とを備えて構成し、
上記第一内容器の第一開放口の外周縁に外向きの第一フランジを形成し、
上記第二内容器の第二開放口の外周縁に上記第一内容器の第一フランジの上に支承される外向きの第二フランジを形成し、
上記第一内容器の第一フランジに上記第二内容器の第二フランジを支承した際、該第二内容器の底壁と上記容器本体の底部との間を離間させる空間を形成し、
上記空間を、上記容器本体の底部の上記第二内容器の底壁に対応する部分に凹所を形成することにより形成し、
上記第一内容器の空所側の内側の底壁に該内側の底壁下面を外側の底壁下面よりも上位に位置させる段差部を設け、上記容器本体の底部に上記段差部に臨んで上記内側の底壁下面を支持する凸条を設け、該凸条で囲繞される部分を凹所として構成したことを特徴とする食品用容器。
【請求項２】
上記空間を、上記第二内容器の高さを上記第一内容器の高さよりも低くすることにより形成したことを特徴とする請求項１記載の食品用容器。
【請求項３】
底部に立設される側部を有し上開放の開口を有した樹脂製の容器本体と、該容器本体の開口を塞ぐ樹脂製の蓋と、上記容器本体に収容される樹脂製の複数の内容器とを備えた食品用容器において、
上記内容器を、上記容器本体の中心部に上から見て空所を形成するように連続して該容器本体の底部に載置され上開放の第一開放口を有した複数の第一内容器と、該複数の第一内容器によって形成される空所に配置され上開放の第二開放口を有した第二内容器とを備えて構成し、
上記第一内容器の第一開放口の外周縁に外向きの第一フランジを形成し、
上記第二内容器の第二開放口の外周縁に上記第一内容器の第一フランジの上に支承される外向きの第二フランジを形成し、
上記第一内容器の第一フランジに上記第二内容器の第二フランジを支承した際、該第二内容器の底壁と上記容器本体の底部との間を離間させる空間を形成し、
上記蓋の内側面を、上記第一内容器及び第二内容器を上記容器本体に収納して該蓋で該容器本体の開口を被覆したとき、上記第一フランジに接合する第一接合面と、上記第二フランジに接合してこれを押圧する第二接合面とを備えて構成したことを特徴とする食品用容器。
【請求項４】
上記空間を、上記第二内容器の高さを上記第一内容器の高さよりも低くすることにより形成したことを特徴とする請求項３記載の食品用容器。
【請求項５】
上記空間を、上記容器本体の底部の上記第二内容器の底壁に対応する部分に凹所を形成することにより形成したことを特徴とする請求項３または４記載の食品用容器。
【請求項６】
上記第一内容器の空所側の内側の底壁に該内側の底壁下面を外側の底壁下面よりも上位に位置させる段差部を設け、上記容器本体の底部に上記段差部に臨んで上記内側の底壁下面を支持する凸条を設け、該凸条で囲繞される部分を凹所として構成したことを特徴とする請求項５記載の食品用容器。
【請求項７】
上記容器本体の底部に、上記第一内容器が連続する方向の移動を規制するストッパを設けたことを特徴とする請求項１乃至６何れかに記載の食品用容器。
【請求項８】
上記容器本体の開口の内周縁部に、上記第一内容器の第一フランジを支持する支持段部を設けたことを特徴とする請求項１乃至７何れかに記載の食品用容器。
【発明の詳細な説明】
【技術分野】
【０００１】
本発明は、樹脂製の容器本体に食品を入れた複数の内容器を収容してなる食品用容器に係り、特に、この複数の内容器を容器本体から取り出し易いようにした食品用容器に関する。
【背景技術】
【０００２】
従来、この種の食品用容器として、例えば、特開２００８−２２２３０９号公報（特許文献１）に掲載されたものが知られている。図８及び図９に示すように、この食品用容器Ｓａは、底部１０１に立設される側部１０２を有し上開放の開口１０３を有した樹脂製の矩形状の容器本体１００と、この容器本体１００の開口１０３を塞ぐ樹脂製の矩形状の蓋１０４と、容器本体１００に収容される樹脂製の複数の内容器１０５とを備えている。内容器１０５は、逆四角錐台状でカップ状に形成され、底壁１０６が容器本体１００の底部１０１に載置されて行列状に容器本体１００内に連続配置される。容器本体１００の開口縁１０３ａは、この開口縁１０３ａと内容器１０５の開口縁１０５ａとの間に空間１０７が形成されるように拡開方向に傾斜（角度α）形成されている。
【０００３】
そして、この食品用容器Ｓａを用いるときは、食品を内容器１０５に入れ、この内容器１０５を容器本体１００に隙間なく並べて収容し、それから、容器本体１００に蓋１０４をする。この状態で、そのまま保管し、あるいは、冷蔵庫に入れて保管し、あるいはまた、冷凍庫に入れて食品を凍結して保存する。その後、食品を取り出すときは、蓋１０４を取って、内容器１０５を一つずつ取り出し、食品を取り出す。この場合、図９に示すように、容器本体１００の開口縁１０３と内容器１０５の開口縁１０５ａとの間に空間１０７が形成されているので、図９（ｂ）に示すように、内容器１０５の一方側の上部に指先を引っ掛けて軽く容器本体１００側に向けて押すと（図中Ｐ方向）、内容器１０５の他方側が浮き上がり、内容器１０５を容易に取り出すことができるようになる。
【先行技術文献】
【特許文献】
【０００４】
【特許文献１】特開２００８−２２２３０９号公報
【発明の概要】
【発明が解決しようとする課題】
【０００５】
ところで、上記従来の食品用容器Ｓａにあっては、内容器１００の一方側を指で軽く押すことにより、内容器１００の他方側を浮き上がらせて、内容器１００を容易に取り出すことができるようにしてはいるものの、この食品用容器Ｓａを冷凍した場合には、食品の冷凍状態で内容器１０５を取り出そうとすると、内容器１０５の底壁１０６が容器本体１００の底部１０１に凍りついてくっついてしまうことがあり、その場合には、内容器１０５の取り出しが困難になるという問題があった。
本発明は上記の問題点に鑑みて為されたもので、食品の冷凍状態であっても、内容器を容易に取り出すことができるようにした食品用容器を提供することを目的とする。
【課題を解決するための手段】
【０００６】
このような目的を達成するための本発明の食品用容器は、底部に立設される側部を有し上開放の開口を有した樹脂製の容器本体と、該容器本体の開口を塞ぐ樹脂製の蓋と、上記容器本体に収容される樹脂製の複数の内容器とを備えた食品用容器において、
上記内容器を、上記容器本体の中心部に上から見て空所を形成するように連続して該容器本体の底部に載置され上開放の第一開放口を有した複数の第一内容器と、該複数の第一内容器によって形成される空所に配置され上開放の第二開放口を有した第二内容器とを備えて構成し、
上記第一内容器の第一開放口の外周縁に外向きの第一フランジを形成し、
上記第二内容器の第二開放口の外周縁に上記第一内容器の第一フランジの上に支承される外向きの第二フランジを形成し、
上記第一内容器の第一フランジに上記第二内容器の第二フランジを支承した際、該第二内容器の底壁と上記容器本体の底部との間を離間させる空間を形成した構成としている。
【０００７】
この食品用容器を用いるときは、食品を複数の第一内容器及び第二内容器に入れ、先ず、この第一内容器を容器本体に連続して配置して収容する。これにより、これら複数の第一内容器によって、容器本体の中心部に上から見て空所が形成される。次に、この空所に第二内容器を入れ、第二内容器の第二フランジを第一内容器の第一フランジに支承する。そして、容器本体に蓋を被せる。この状態で、この食品の入った食品用容器を、そのまま保管し、あるいは、冷蔵庫に入れて保管し、あるいはまた、冷凍庫に入れて食品を凍結して保存する。その後、食品を取り出すときは、蓋を取って、先ず、第二内容器を取り出す。この場合、第二内容器の第二フランジが第一内容器の第一フランジに支承されて露出しているので、これを指先に引っ掛けて容易に持ち上げることができ、そのため、第二内容器を容易に取り出すことができる。また、この場合、冷凍庫に入れられて食品や容器が凍結していても、第二内容器の底壁と容器本体の底部との間には空間が形成されているので、第二内容器の底壁は容器本体の底部から離間しており、そのため、第二内容器の底壁が容器本体の底部にくっついて離れにくくなる事態がなく、容易に第二内容器を取り出すことができる。第二内容器を取り外した後に、第一内容器を取り出すときは、複数の第一内容器の中央には空所が形成されているので、この空所に指を入れて第一内容器の第一フランジを引っ掛けて持ち上げることができ、そのため、第一内容器を容易に取り出すことができる。
【０００８】
そして、必要に応じ、上記空間を、上記第二内容器の高さを上記第一内容器の高さよりも低くすることにより形成した構成としている。第二内容器の高さを低くするだけで良いので、容易に作成することができる。
【０００９】
また、必要に応じ、上記空間を、上記容器本体の底部の上記第二内容器の底壁に対応する部分に凹所を形成することにより形成した構成としている。樹脂の型成形により、容器本体の底部に凹所を形成するので容易に作成することができる。
【００１０】
更に、必要に応じ、上記第一内容器の空所側の内側の底壁に該内側の底壁下面を外側の底壁下面よりも上位に位置させる段差部を設け、上記容器本体の底部に上記段差部に臨んで上記内側の底壁下面を支持する凸条を設け、該凸条で囲繞される部分を凹所として構成している。段差部が凸条に支持されるので、第一内容器の空所側への移動が規制されるとともに、凸条で囲繞される部分が凹所となるので、第二内容器の底壁と容器本体の底部との間を離間させる空間を確実に形成することができる。
【００１１】
また、必要に応じ、上記蓋の内側面を、上記第一内容器及び第二内容器を上記容器本体に収納して該蓋で該容器本体の開口を被覆したとき、上記第一フランジに接合する第一接合面と、上記第二フランジに接合してこれを押圧する第二接合面とを備えて構成している。
これにより、容器本体の開口を蓋で被覆すると、蓋の第一接合面が第一内容器の第一フランジに接合し、第二接合面が第二内容器の第二フランジに接合してこれを押圧するようになる。そのため、第二内容器の底壁と容器本体の底部との間には空間が形成され、第二内容器の底壁は容器本体の底部から離間しているので、この第二内容器が空間に押し込められるようになることから、第二フランジがこれに支承された第一内容器の第一フランジの当接部分を押圧し、第一内容器にモーメント荷重を作用させることができるようになる。このため、第二内容器の第二フランジを支承していない第一内容器の第一フランジの非当接部分が蓋側に押しつけられるようになり、そのため、第一内容器の第一フランジと蓋とのシール性が向上させられる。この結果、例えば、食品が流動性のものである場合には、隣接する内容器に流動して流れ込むことが防止され、確実に食品を分離して保存しておくことができる。
【００１２】
更に、必要に応じ、上記容器本体の底部に、上記第一内容器が連続する方向の移動を規制するストッパを設けた構成としている。第一内容器がこれらが連続する方向に移動しようとしてもストッパに当接してその移動が規制される。そのため、第一内容器へ入れた食品のぐらつきが抑制され、盛り付けを保持できる。
【００１３】
更にまた、必要に応じ、上記容器本体の開口の内周縁部に、上記第一内容器の第一フランジを支持する支持段部を設けた構成としている。第一内容器の支持が安定し、第一内容器へ入れた食品のぐらつきが抑制され、盛り付けを保持できる。
【発明の効果】
【００１４】
本発明によれば、食品を取り出すときは、蓋を取って、先ず、第二内容器を取り出すが、この場合、第二内容器の第二フランジが第一内容器の第一フランジに支承されて露出しているので、これを指先に引っ掛けて容易に持ち上げることができ、そのため、第二内容器を容易に取り出すことができる。また、この場合、冷凍庫に入れられて食品や容器が凍結していても、第二内容器の底壁と容器本体の底部との間には空間が形成されているので、第二内容器の底壁は容器本体の底部から離間しており、そのため、第二内容器の底壁が容器本体の底部にくっついて離れにくくなる事態がなく、容易に第二内容器を取り出すことができる。第二内容器を取り外した後に、第一内容器を取り出すときは、複数の第一内容器の中央には空所が形成されているので、この空所に指を入れて第一内容器の第一フランジを引っ掛けて持ち上げることができ、そのため、第一内容器を容易に取り出すことができる。
【図面の簡単な説明】
【００１５】
【図１】本発明の実施の形態に係る食品用容器を示す分解斜視図である。
【図２】本発明の実施の形態に係る食品用容器を示し、第一内容器及び第二内容器に食品を入れるとともにこれらを容器本体内に収容した状態を示す分解斜視図である。
【図３】本発明の実施の形態に係る食品用容器の容器本体を示す平面図である。
【図４】本発明の実施の形態に係る食品用容器の第一内容器を示し、（ａ）は平面図、（ｂ）は正面図である。
【図５】本発明の実施の形態に係る食品用容器において、第一内容器及び第二内容器を容器本体内に収容するときの状態を示す断面図である。
【図６】本発明の実施の形態に係る食品用容器において、第一内容器及び第二内容器を容器本体内に収容するとともに蓋を被せた状態を示す断面図である。
【図７】本発明の実施の形態に係る食品用容器において、容器本体に蓋を被せた状態を示す要部拡大断面図である。
【図８】従来の食品用容器の一例を示す分解斜視図である。
【図９】従来の食品用容器の一例において、内容器を取り出すときの状態を示す要部断面図である。
【発明を実施するための形態】
【００１６】
以下、添付図面に基づいて、本発明の実施の形態に係る食品用容器について詳細に説明する。
図１乃至図７には、本発明の実施の形態に係る食品用容器Ｓを示している。この食品用容器Ｓは、樹脂製の容器本体１と、容器本体１の開口４を塞ぐ樹脂製の蓋１０と、容器本体１に収納される樹脂製の複数の内容器とを備えて構成されている。内容器は、複数（実施の形態では３つ）の樹脂製の第一内容器２０と、１つの第二内容器３０とからなる。
【００１７】
容器本体１は、図１乃至図３，図５乃至図７に示すように、非透明な樹脂製であり、略円形の底部２及び底部２に立設される略円筒状の側壁３からなり、上開放の開口４を有している。図３，図５乃至図７に示すように、開口４を形成する開口縁部５には、上開放の溝６が形成されており、溝６は、外側部５ａと内側部５ｂとから構成され、外側部５ａは内側部５ｂに対して薄肉部５ｃを介して一体に設けられている。図１乃至図３に示すように、外側部５ａにはツマミ７が突設されており、このツマミ７を引っ張ることにより、外側部５ａは薄肉部５ｃで切断されて切り離し可能に形成されている。また、図７に示すように、外側部５ａの溝６側下部には、周方向に沿って形成され後述の蓋１０の係合凸部１３が係合する係合凹部８が形成されている。
【００１８】
蓋１０は、図１，図２，図６及び図７に示すように、透明な樹脂製であって円盤状に形成され、図６及び図７に示すように、その周縁部１１には、下開放で上記容器本体１の開口縁部５の内側部５ｂが嵌入される溝部１２が形成されており、溝部１２は、外側体１１ａと内側体１１ｂとから構成され、外側体１１ａは上記容器本体１の開口縁部５の溝６に挿入される。この外側体１１ａの先端縁には、周方向に沿って外向きに突設され容器本体１の係合凹部８に係合する係合凸部１３が形成されている。
【００１９】
第一内容器２０は、図１，図２，図４乃至図６に示すように、透明な樹脂製であって上開放の第一開放口２１を有し、上から見て略扇形に形成されている。第一内容器２０は、実施の形態では３つ設けられ、容器本体１の中心部に空所２３を形成するように容器本体１の側壁３に沿って連続配置されるとともに、容器本体１の底部２に載置される。また、第一内容器２０の第一開放口２１の外周縁には、外向きの第一フランジ２２が形成されている。即ち、この第一内容器２０は、第一内容器２０の第一開放口２１が上から見て扇形に形成され、その第一フランジ２２も上から見て枠状の扇形に形成され、連続配置されたとき中央に上から見て円形の空所２３を形成する。また、容器本体１の開口４の内周縁部には、第一内容器２０の第一フランジ２２を支持する支持段部２４が設けられている。
【００２０】
第二内容器３０は、図１，図２，図５及び図６に示すように、３つの第一内容器２０によって形成される空所２３に配置され上開放の第二開放口３１を有し、上から見て円形に形成されている。
この第二内容器３０は、第一内容器２０とは異なる材質の半透明な樹脂製である。例えば、第一内容器２０をポリエチレンテレフタレートで形成し、第二内容器３０を、ポリプロピレンで形成している。材質が異なるので、熱伝導度の違い等に起因させて冷凍具合に差を出すことができる。
また、第二内容器３０の第二開放口３１の外周縁には、第一内容器２０の第一フランジ２２の上に支承される外向きの第二フランジ３２が形成されている。即ち、第二内容器３０の第二開放口３１を上から見て円形に形成するとともにその第二フランジ３２も枠状の円形に形成される。
【００２１】
そして、本食品用容器Ｓは、第一内容器２０の第一フランジ２２に第二内容器３０の第二フランジ３２を支承した際、第二内容器３０の底壁３３と容器本体１の底部２との間を離間させる空間Ｅ（図６）を形成している。この空間Ｅは、第二内容器３０の高さｈ２を、第一内容器２０の高さｈ１よりも低くすることにより形成されている。また、空間Ｅは、容器本体１の底部２の第二内容器３０の底壁３３に対応する部分に凹所３４を形成することによっても形成されている。詳しくは、第一内容器２０の空所２３側の内側の底壁２０ａに、内側の底壁２０ａ下面を外側の底壁２０ｂ下面よりも上位に位置させる段差部２５を設け、容器本体１の底部２に、段差部２５に臨んで内側の底壁２０ａ下面を支持する凸条３５を設け、この凸条３５で囲繞される部分を凹所３４として構成している。
【００２２】
また、図１及び図３に示すように、容器本体１の底部２には、第一内容器２０が連続する方向の移動を規制するストッパ３６が設けられている。詳しくは、ストッパ３６は、凸条３５の外側に形成される円周溝３７に、第一内容器２０の円周方向側壁に当接して第一内容器２０の周方向の移動を規制するよう突出形成されている。
【００２３】
更に、図６及び図７に示すように、蓋１０の内側面には、第一内容器２０及び第二内容器３０を容器本体１に収納して蓋１０で容器本体１の開口４を被覆したとき、第一フランジ２２に接合する第一接合面４０と、第二フランジ３２に接合してこれを押圧する第二接合面４１とが備えられている。
【００２４】
従って、この実施の形態に係る食品用容器Ｓを使用するときは、図２，図５及び図６に示すように、食品を複数の第一内容器２０及び第二内容器３０に入れ、先ず、この第一内容器２０を容器本体１に連続して配置して収容する。これにより、これら複数の第一内容器２０によって、容器本体１の中心部に上から見て円形の空所２３が形成される。次に、この空所２３に第二内容器３０を入れ、第二内容器３０の第二フランジ３２を第一内容器２０の第一フランジ２２に支承する。この場合、第一内容器２０がこれらが連続する方向に移動しようとしてもストッパ３６に当接してその移動が規制されるので、第一内容器２０へ入れた食品のぐらつきが抑制され、盛り付けを保持できる。また、容器本体１の開口４の内周縁部にある支持段部２４に、第一内容器２０の第一フランジ２２が支持されるので、第一内容器２０の支持が安定し、第一内容器２０へ入れた食品のぐらつきが抑制され、この点でも盛り付けを保持できる。
【００２５】
そして、容器本体１に蓋１０を被せる。この場合、図７に示すように、蓋１０の周縁部１１の溝部１２に容器本体１の開口縁部５の内側部５ｂを嵌入するとともに、蓋１０の周縁部１１の外側体１１ａを容器本体１の開口縁部５の溝６に挿入する。これにより、外側体１１ａの先端縁の係合凸部１３が容器本体１の係合凹部８に係合し、蓋１０は容器本体１にロックされる。この状態で、この食品の入った食品用容器Ｓを、そのまま保管し、あるいは、冷蔵庫に入れて保管し、あるいはまた、冷凍庫に入れて食品を凍結して保存する。
【００２６】
この場合、図６に示すように、容器本体１の開口を蓋１０で被覆すると、蓋１０の第一接合面４０が第一内容器２０の第一フランジ２２に接合し、第二接合面４１が第二内容器３０の第二フランジ３２に接合してこれを押圧するようになる。そのため、第二内容器３０の底壁３３と容器本体１の底部２との間には空間Ｅが形成され、第二内容器３０の底壁３３は容器本体１の底部２から離間しているので、この第二内容器３０が空間Ｅに押し込められるようになることから、第二フランジ３２がこれに支承された第一内容器２０の第一フランジ２２の当接部分を押圧し、第一内容器２０にモーメント荷重を作用させることができるようになる。このため、第二内容器３０の第二フランジ３２を支承していない第一内容器２０の第一フランジ２２の非当接部分が蓋１０側に押しつけられるようになり、そのため、第一内容器２０の第一フランジ２２と蓋１０とのシール性が向上させられる。この結果、例えば、食品が流動性のものである場合には、隣接する内容器に流動して流れ込むことが防止され、確実に食品を分離して保存しておくことができる。
【００２７】
その後、食品を取り出すときは、先ず、蓋１０を取る。この場合、容器本体１の開口縁部５において、外側部５ａに設けたツマミ７を円周方向に引っ張っていくと、外側部５ａが薄肉部５ｃで切断されて内側部５ｂから切り離される。これにより、係合凹部８がある外側部５ａが切り取られてなくなるので、蓋１０は、蓋１０の溝部１２と容器本体１の内側部５ｂとの嵌入のみで保持されることになるので、蓋１０を開方向に持ち上げると、この嵌入が解除されて蓋１０が取り外される。そして、先ず、第二内容器３０を取り出す。この場合、第二内容器３０の第二フランジ３２が第一内容器２０の第一フランジ２２に支承されて露出しているので、これを指先に引っ掛けて容易に持ち上げることができ、そのため、第二内容器３０を容易に取り出すことができる。また、この場合、冷凍庫に入れられて食品や容器が凍結していても、第二内容器３０の底壁３３と容器本体１の底部２との間には空間Ｅが形成されているので、第二内容器３０の底壁３３は容器本体１の底部２から離間しており、そのため、第二内容器３０の底壁３３が容器本体１の底部２にくっついて離れにくくなる事態がなく、容易に第二内容器３０を取り出すことができる。第二内容器３０を取り外した後に、第一内容器２０を取り出すときは、複数の第一内容器２０の中央には空所２３が形成されているので、この空所２３に指を入れて第一内容器２０の第一フランジ２２を引っ掛けて持ち上げることができ、そのため、第一内容器２０を容易に取り出すことができる。
【００２８】
食品を取り出した後、もし食品が残っていれば、再び、食品の入った第一内容器２０を容器本体１内に配置して収容し、次に、食品の入った第二内容器３０を入れ、第二内容器３０の第二フランジ３２を第一内容器２０の第一フランジ２２に支承する。そして、容器本体１に蓋１０を被せる。この場合、蓋１０の周縁部１１の溝部１２に容器本体１の開口縁部５の内側部５ｂを嵌入する。蓋１０は、溝部１２と内側部５ｂとの嵌入による保持なので、繰り返して開閉できる。
【００２９】
尚、上記実施の形態においては、第一内容器２０の数は３つにしてあるが、必ずしもこれに限定されるものではなく、２つ、あるいは４つ以上になるようにして良く、適宜変更して差し支えない。また、容器本体１は円形にしたが、必ずしもこれに限定されるものではなく、矩形であっても良い。この場合には、中央に空所２３ができるように第一内容器２０を形成し、この空所２３に収まるように第二内容器３０を形成すればよい。
【符号の説明】
【００３０】
Ｓ  食品用容器
１  容器本体
２  底部
３  側壁
４  開口
５  開口縁部
５ａ  外側部
５ｂ  内側部
５ｃ  薄肉部
６  溝
７  ツマミ
８  係合凹部
１０  蓋
１１  周縁部
１１ａ  外側体
１１ｂ  内側体
１２  溝部
１３  係合凸部
２０  第一内容器
２０ａ  内側の底壁
２０ｂ  外側の底壁
２１  第一開放口
２２  第一フランジ
２３  空所
２４  支持段部
２５  段差部
３０  第二内容器
３１  第二開放口
３２  第二フランジ
３３  底壁
Ｅ  空間
３４  凹所
３５  凸条
３６  ストッパ
３７  円周溝
４０  第一接合面
４１  第二接合面
【要約】
【課題】  食品の冷凍状態であっても、内容器を容易に取り出すことができるようにする。
【解決手段】  樹脂製の容器本体１と、容器本体１の開口４を塞ぐ樹脂製の蓋１０と、容器本体１に収容される樹脂製の複数の内容器とを備え、内容器を容器本体１の中心部に上から見て空所２３を形成するように連続して載置される複数の第一内容器２０と、この複数の第一内容器２０によって形成される空所２３に配置される第二内容器３０とを備えて構成し、第一内容器２０の第一開放口２１に外向きの第一フランジ２２を形成し、第二内容器３０の第二開放口３１に第一フランジ２２の上に支承される外向きの第二フランジ３２を形成し、第一フランジ２２に第二フランジ３２を支承した際、第二内容器３０の底壁３３と容器本体１の底部２との間を離間させる空間Ｅを形成した。
【選択図】  図６【図１】
0005442089.tif 000002
【図２】
0005442089.tif 000003
【図３】
0005442089.tif 000004
【図４】
0005442089.tif 000005
【図５】
0005442089.tif 000006
【図６】
0005442089.tif 000007
【図７】
0005442089.tif 000008
【図８】
0005442089.tif 000009
【図９】
0005442089.tif 000010